Podtech/llm-jp-corpus-v4-ja_patent huggingface dataset:
(57)【要約】【課題】就寝時に使用する枕、特に袋内に塩が封入された塩枕に関し、塩の漏出が無く、耐久性が高く、かつ快適な使い心地を備えた塩枕を提供する。【解決手段】ヒートシール、すなわち２枚の布を重ね合せて加熱加圧することによって当該２枚の布の当接面を熱融着することができる不織布を用い、当該不織布製の袋に塩を入れて、その開口辺をヒートシールすることにより製造される塩入塩枕を提供する。好ましい不織布は、ポリエステルを芯としポリエチレンを鞘とする芯鞘構造のスパンボンド不織布が好ましい。就寝時や休息時に枕に頭を載せたとき、適度な堅さと冷感があり、良好な通気性及び吸湿性を備えているので、安眠を促進する効果や疲労を回復する効果があり、長年使用しても塩が漏出するおそれがなく、製造が容易で耐久性に優れている。【選択図】      図１
0003119237.tif 000002
【実用新案登録請求の範囲】
【請求項１】
開口辺をヒートシールした不織布製の密閉袋に塩が封入されてなる、塩枕。
【請求項２】
不織布がポリエステルを芯としポリエチレン又はポリプロピレンを鞘とする芯鞘繊維のスパンボンド不織布である、請求項１記載の塩枕。
【考案の詳細な説明】
【技術分野】
【０００１】
この考案は、就寝時に使用する枕、特に袋内に塩が封入された塩枕に関するものである。
【背景技術】
【０００２】
布袋内に塩が封入された塩枕は、塩の冷却作用や吸湿作用により、快適な寝心地が得られ、疲労回復などに有効であることが知られている。また、下記特許文献には、布体内に封入した塩が塊状化するのを防止した塩枕や、ケイ素及び酸化ケイ素を塩と共に封入することによりマイナスイオンを発生される塩枕や、塩と共にセラミックスを封入した塩枕など、種々のものが提案されている。
【特許文献１】特開２００２−３００９５３号公報
【特許文献２】特開２０００−２９６０４５号公報
【特許文献３】特開平９−１６４０４９号公報
【特許文献４】登録実用新案第３０５２７１５号公報
【特許文献５】登録実用新案第３０１６７９７号公報
【考案の開示】
【考案が解決しようとする課題】
【０００３】
袋内に塩を入れた塩枕は、使用中に袋から塩が漏れ出ることが無いようにしなければならない。従来の塩枕は、使用時に塩が漏出しないようにするため、布目より粗い粒の塩を用いなければならないこと、布を袋に形成するための縫着部から塩が漏出しないように、布を複数回折り返してミシン掛けしなければならないなどの面倒があった。また、使用を続けるにつれて袋中の塩の粒が砕けるので、長期間使用すると布袋内の塩が徐々に砕け、細かくなった塩が布目や縫着部から漏出するため、耐久性にも問題があった。
【０００４】
この考案は、従来の塩枕の上記問題点を解決して、塩の漏出が無く、耐久性が高く、かつ快適な使い心地を備えた塩枕を提供することを課題としている。
【課題を解決するための手段】
【０００５】
この考案は、ヒートシール、すなわち２枚の布を重ね合せて加熱加圧することによって当該２枚の布の当接面を熱融着することができる不織布を用い、当該不織布製の袋に塩を入れて、その開口辺をヒートシールすることにより製造される塩入塩枕を提供することにより、上記課題を解決したものである。
【０００６】
不織布は種々の方法で製造することができ、袋状の不織布や筒状の不織布を製造することも技術的には可能であるが、一般的には、１枚の不織布を二つ折りにして、折り重ねた２辺をヒートシールして袋とするか、又は同形の２枚の不織布の３辺をヒートシールして袋に形成したものに塩を入れ、そのあと開口辺をヒートシールすることにより、ヒートシールした不織布製の密閉袋７内に塩６が封入されてなるこの考案の塩枕を製造することができる。
【０００７】
上述した一般的な方法で製造した塩枕は、不織布を二つ折りにして３辺２、３、５をヒートシールした密閉袋７に塩６が封入されている塩枕、又は同形の２枚の不織布の周囲２、３、４、５をヒートシールした密閉袋７に塩６が封入されている塩枕である。
【０００８】
不織布は天然繊維、人造繊維、化学繊維などの各種の繊維（パルプ）で製造することができるが、この考案の塩枕で使用する不織布は、熱融着可能な、少なくとも表面が熱可溶性の繊維で製作された不織布である。好ましい不織布は、ポリエステル又はナイロンを芯とし、ポリエチレン又はポリプロピレンを鞘とする芯鞘構造の繊維を用いた不織布であり、特にポリエステルを芯とし、ポリエチレンを鞘とする芯鞘構造のスパンボンド不織布が好ましい。これらの繊維でできた不織布は、柔軟性と強度及び耐久性を兼ね備えており、かつヒートシールの作業性に優れている。
【考案の効果】
【０００９】
この考案の塩枕は、中に塩が封入されているため、就寝時や休息時に枕に頭を載せたとき、適度な堅さと冷感があり、良好な通気性及び吸湿性を備えているので、安眠を促進する効果や疲労を回復する効果がある。
【００１０】
そして、この考案の塩枕は、通気性や通水性を備えながら塩が通過することができない不織布製の包皮をヒートシールにより密閉した構造の密閉袋を備えているので、良好な通気性や吸湿性を備えているにも関わらず、長年使用しても塩が漏出するおそれがなく、製造が容易で耐久性に優れている。特に強度の高い繊維を芯とし、熱融着性に優れた樹脂を鞘とした芯鞘構造の繊維からなる不織布を用いることにより、強度が高く柔軟で耐久性に優れた塩枕が得られるという効果がある。
【考案を実施するための最良の形態】
【００１１】
以下、図面を参照して、この考案の好ましい実施形態を説明する。図１は第１実施形態の斜視図、図２は第１実施形態の横断面図、図３は第２実施形態の斜視図である。
【００１２】
図１、２に示した第１実施形態の塩枕１は、ポリエステルを芯としポリエチレンを鞘とする芯鞘構造のオレフィン系スパンボンド不織布を細長い矩形に切断したものをその中央で折り重ねて２枚合せとし、その上下辺２、３を線状にヒートシールして一方の側辺５が開口している袋に形成し、その開口辺５から食用として一般に使用されている塩６を入れ、当該開口辺を線状にヒートシールして密閉袋７とした構造である。
【００１３】
図３に示した第２実施形態の塩枕１は、矩形の２枚の不織布を重ね合わせてその上下辺２、３と一方の側辺４とを線状にヒートシールして一側辺５を開口辺とした袋に形成し、ヒートシールされていない開口辺５から袋内に所定量の上記塩６を入れて、その開口辺５をヒートシールすることによって、不織布製の密閉袋７内に塩６を封入したこの考案の塩枕としたものである。
【図面の簡単な説明】
【００１４】
【図１】第１実施形態の塩枕の斜視図
【図２】図１の塩枕の横断面図
【図３】第２実施形態の塩枕の斜視図
【符号の説明】
【００１５】
６  塩
７  密閉袋
【図１】
0003119237.tif 000003
【図２】
0003119237.tif 000004
【図３】
0003119237.tif 000005
(57)【要約】【課題】  汚物を可燃ゴミとして廃棄する際の手間とわずらわしさを軽減するためのゴミ袋を提供することを課題とする。【解決手段】  折り畳んだ紙製のゴミ袋を粘着性のシールで複数枚連結させておき、端から一枚ずつ開いて使用する構造を持つものである。個々のゴミ袋は、蓋を有する面に非粘着性の、蓋を有しない面に粘着性のシール状のものを貼付し（シールは、蓋をする際に適した位置に貼付する）、シール部で複数枚が連結されることを特徴とする。【選択図】図１
0003119235.tif 000002
【実用新案登録請求の範囲】
【請求項１】
折り畳んだ紙製の袋で、蓋を有する面に非粘着性、蓋を有しない面に粘着性のあるシール状のものを装着し、複数枚をシール部で連結させた構造を持つゴミ袋。
【考案の詳細な説明】
【技術分野】
【０００１】
本考案は、トイレのサニタリーボックスなどに用いるゴミ袋の形状に関する。
【背景技術】
【０００２】
従来の生理用品などの汚物処理は、サニタリーボックスにポリ袋などを装着し、廃棄の際にサニタリーボックスから取り出しゴミ袋の口を結んでさらに他のゴミと一緒に大型のゴミ袋に入れて捨てるのが一般的であった。
【０００３】
しかし、近年のゴミの分別化に伴い、汚物用の袋も可燃ゴミとして捨てられる材質のものが要求されるようになった。汚物をポリ袋から一旦出して新聞紙などにくるんだり、紙製の袋に入れなおして、可燃ゴミ用の半透明の袋に入れて廃棄するのが一般的であるが、その際に手間とわずらわしさを伴っていた。
【考案の開示】
【考案が解決しようとする課題】
【０００４】
そこでこの考案は、汚物を可燃ゴミとして廃棄する際の手間とわずらわしさを軽減するためのゴミ袋を提供することを課題とする。
【課題を解決するための手段】
【０００５】
この考案は、折り畳んだ紙製のゴミ袋を粘着性のシールで複数枚連結させておき、端から一枚ずつ開いて使用する構造を持つものである。個々のゴミ袋は、蓋を有する面に非粘着性の、蓋を有しない面に粘着性のシール状のものを貼付し（シールは、蓋をする際に適した位置に貼付する）、シール部で複数枚が連結されることを特徴とする。
【考案の効果】
【０００６】
本考案のゴミ袋は、サニタリーボックスに装着する際に、一番端の袋を開いて使用する。中身が一杯になって廃棄する際には、他の折り畳まれたゴミ袋からはずしてボックスから取り出し、蓋を粘着性のシール部に接着させてそのまま可燃性のゴミとして他のゴミと一緒に廃棄することができるので、わずらわしさを伴うことなく汚物を処理できる。サニタリーボックスには、残ったゴミ袋の一番端のものを開くだけで新たなゴミ袋が装着されるので、ゴミ袋交換の際の手間が軽減される。
【考案を実施するための最良の形態】
【０００７】
図１に示すように、折りたたんだ紙製のゴミ袋を粘着性のシールで複数枚連結し、一番端から一枚ずつ開いて使用するものである。汚物が充填されても破れにくい程度の厚みを持つ紙を用いる。防水加工がされていたり、色や模様のついたものであったり、蓋の部分の形がデザイン的に工夫されていたりするとさらに良い。蓋（１）は長めで、中身が充填されていても外れにくいように製作する。
【０００８】
図２に個々のゴミ袋を連結する構造を示す。
連結部にはシールが貼付されている。シールは蓋をする際に適した位置に貼付し、蓋を有する面は非粘着性（３）、蓋を有しない面は粘着性（２）を持つ。交換する際に他の折り畳まれた袋から容易にはずすことができる。使用順で一番最後となる袋の接着面には、非粘着性のシールを貼っておく。
【０００９】
図３に使用前の折り畳まれた状態を示す。
圧縮された状態であるので、保管に場所を取らず大量にストックしておくことができる。
【００１０】
図４に廃棄する際の状態を示す。
他のゴミ袋からはずした後、そのまま粘着部に蓋を接着して廃棄する。厚めの紙製であるので、中身を見られることなく廃棄することができる。
【実施例１】
【００１１】
図５に示すように、サニタリーボックス（４）に装着して使用する。袋の大きさに合ったサニタリーボックスで、デザイン性のあるものを使用すると良い。
【実施例２】
【００１２】
ユニット式のトイレの引き出しに合わせた大きさのものを製作すると、より利便性が高い。また、袋を花柄などの模様やイラストのあるものにしたり、蓋の形状を工夫してデザイン性のあるものにすると、汚物いれとしてだけでなく、そのまま可燃物用の簡易ゴミ箱としても使用できる。特に花粉症や風邪をひいた時に使用したティッシュなどを捨てるゴミ箱として使用するのに適している。
【図面の簡単な説明】
【００１３】
【図１】本考案の一実施例を示す外観斜視図
【図２】個々のゴミ袋を連結する構造
【図３】使用前の折り畳まれた状態
【図４】廃棄する際の状態
【図５】サニタリーボックスに装着した状態
【符号の説明】
【００１４】
１    蓋
２    粘着性のシール
３    非粘着性のシール
４    サニタリーボックス
【図１】
0003119235.tif 000003
【図２】
0003119235.tif 000004
【図３】
0003119235.tif 000005
【図４】
0003119235.tif 000006
【図５】
0003119235.tif 000007
(57)【要約】      （修正有）【課題】素振りの稽古時に木刀の振りや刃筋の正しさ又は手の内の極め等が分かりにくかったが、音の変化が確認出来れば自己判断をしやすいので、木刀切先付近に数個の穴をあけ空洞部分を作り、振り下ろす時の風圧を利用し、高い音が出るようする。【解決手段】木刀１の切先２から縦穴３を任意の長さ５をあける。そして縦穴３に向かって横穴４をあける。横穴４は縦穴３につなぐ。横穴の数は任意で良い。【選択図】図１
0003119297.tif 000002
【実用新案登録請求の範囲】
【請求項１】
木刀切先付近に数個の穴をあけ空洞部分を設け素振り稽古で振り下ろした時に高い音が出るようにした木刀。
【考案の詳細な説明】
【技術分野】
【０００１】この考案は木刀切先付近に数個の穴をあけ空洞部分を作り、振り下ろす時の風圧を利用し高い音が出るようにしたものである。
【背景技術】
【０００２】従来の木刀にはこのように高い音を出せるものはなかった。
従来の木刀は腕力で風きり音を作り出してその音を確認の材料にするしかなかった。
【考案の開示】
【考案が解決しようとする課題】
【０００３】素振りの稽古時に木刀の振りや刃筋の正しさ又は手の内の極め等が分かりにくかった。
本考案はこのような欠点をなくす為になされたものである。
【課題を解決するための手段】
【０００４】木刀の切先から縦穴を任意の長さにあけ、今度は横穴を数個縦穴まであける。
以上のような作業を行ったことにより、高い音の出る素振り用木刀が出来た。
【考案の効果】
【０００５】軽く振れば小さな音で強く振れば大きな音を出す事ができる。
柄を正しく持って正しく振らないと横穴の位置が風圧を受けにくくなり音が出ないので、刃筋の確認又は手の内の鍛錬には効果的である。
初心者や子供でも無理な力で振らなくても高い音が出せるので自己確認がしやすい。
縦穴・横穴の大きさや、横穴の数を変えれば音の高さも変える事が出来る。
【考案を実施するための最良の形態】
【０００６】以下、本考案の実地の形態について説明する。
木刀１の切先２から縦穴３を任意の長さ５をあける。そして縦穴３に向かって横穴４をあける。横穴４は縦穴３につなぐ。横穴の数は任意で良い。
【図面の簡単な説明】
【０００７】
【図１】本考案の斜視図である
【図２】 
【図３】 
【符号の説明】
【０００８】  １  木刀本体
２  切先
３  縦穴
４  横穴
５  任意の長さ
６  柄
【図１】
0003119297.tif 000003
【図２】
0003119297.tif 000004
【図３】
0003119297.tif 000005
【手続補正書】
【提出日】平成17年11月29日(2005.11.29)
【手続補正１】
【補正対象書類名】明細書
【補正対象項目名】０００７
【補正方法】変更
【補正の内容】
【０００７】
【図１】本考案の斜視図である
【図２】正面図
【図３】斜視拡大図
(57)【要約】      （修正有）【課題】従来のパテベラは刃と握り部が固定され指を掛けて引っ張るところがなくヘラ部が水平の為、中央・左・右としごき工程が多く手首への負担が大きい。【解決手段】握り部６に自己に合った角度調整器５を付け、握り部に指入れ４を作り、引っ張る力を増大させ、ヘラの先端部１をアールカットし、ヘラの両側を曲げパテのしごき残りをなくした。【選択図】図１
0003119295.tif 000002
【実用新案登録請求の範囲】
【請求項１】
パテベラの握り部に自在に角度調節が出来るようにし指入れを作り、ヘラの先端をアールカットし両端を曲げられるようにしたヘラ。
【考案の詳細な説明】
【技術分類】
【０００１】本考案はパテしごきヘラに関する。
【背景技術】
【０００２】従来のヘラは握り部が固定され変化を加えられず、ヘラ自体に加工がないので手首への負担と作業工程が多い。
【考案の開示】
【考案が解決しようとする課題】
【０００３】手首への負担と作業工程の短縮。
【課題を解決するための手段】
【０００４】そこで手首への負担を少なくする為に握り部に自己に合った角度調整と指入れを付け刃全部の先端をアールカットし刃金留めを曲げられるようにした。
【図面の簡単な説明】
【０００５】
【図１】斜視図
【図２】平面図
【符号の説明】
１．アールカットした刃先
２．しごき刃本体
３．曲げられるアルミの刃金留め
４．引く力を増大させる指入れ
５．角度調節器
６．握り
【図１】
0003119295.tif 000003
【図２】
0003119295.tif 000004
(57)【要約】      （修正有）【課題】ハイヒール本体に踵の位置を固定する固定帯を設け、つま先への歩行時などの衝撃を軽減させ、外反母趾を防ぐ。【解決手段】ハイヒール本体に踵固定ベルト１ａ１ｂ、踵固定ベルトの留め金２ａ２ｂを設け、踵を固定しハイヒール内にある足の位置を常に一定に保ち、本来の踵による正常な体重分散を作用させることで狭まれた靴先に当たるつま先の負担を減少させ、歩行時の体重の衝撃を足首と踵で受け、分散させることにより、足の親指の付け根の関節などへの衝撃を減少させ、靴擦れ、または外反母趾を防ぎ、尚且つこの固定ベルトによる新しいハイヒールのデザインの開拓余地を提供する。【選択図】図２
0003119293.tif 000002
【実用新案登録請求の範囲】
【請求項１】
ハイヒールを履いた足首に固定ベルトをつけて踵の位置を固定し、つま先にかかる負担を減少させ、外反母趾及び靴擦れを防ぎ、尚且つ固定ベルトによる新しいハイヒールのデザインの開拓余地を提供することを目的としたハイヒール外反母趾予防踵固定ベルト・ル・ピェ・フィクス
【考案の詳細な説明】
【技術分野】
【０００１】  本考案はハイヒールによる外反母趾及び靴擦れなどを踵を固定することで防ぐ踵固定ベルトに関するものである。
【背景技術】
【０００２】  ハイヒールは美しさを追求するあまり、靴先が狭く、ヒールが高い為、本来の踵を中心とした正常な体重分散が行われず、歩行によって増幅される体重の衝撃をつま先、足の指の付け根の骨で受け、常に靴擦れ、または外反母趾になる可能性を孕んでいた。
【考案の開示】
【考案が解決しようとする課題】
【０００３】  ハイヒールを履いても本来の正常な体重分散を作用させることで狭まれた靴先に当たるつま先、指の付け根の負担を減少させ、靴擦れ、または外反母趾を防ぎ、尚且つこの固定ベルトによる新しいハイヒールのデザインの開拓余地を提供することを目的としたものである。
【課題を解決するための手段】
【０００４】  ハイヒールの踵の位置を支点とした足首へ巻く固定ベルトを設けることで、踵とハイヒールの位置を固定し、常に本来の正常な体重分散を可能とすることで問題点を解決している。
【考案の効果】
【０００５】  上述のように、本考案のハイヒール外反母趾予防踵固定ベルト・ル・ピェ・フィクスは足首に固定ベルトがあることでハイヒール内にある足の位置を常に一定に保ち、歩行時の体重の衝撃を足首と踵で受け分散させることにより、足の指の付け根の関節への衝撃を減少させ、靴擦れや外反母趾を防ぐのに役立つ。
【考案を実施するための最良の形態】
【０００６】  ハイヒールのはき口のくるぶしが位置する部分に踵固定ベルトとそれを留める留め金を左右対称の位置に設置する。これによってベルトは取り外し自在となり使用時の足の挿入が可能となる。
【実施例】
【０００７】  以下、添付図面に従って一実地例を説明する。１ａは踵固定ベルト本体、２ａは踵固定ベルト装着時の留め金部分である。実地例として留め金は足袋に使われる形状の金属の留め金を三箇所に設けているが機能するものであれば他の形状のものでも良い。１ｂと２ｂは装着前の踵固定ベルトの状態を表すものである。
【図面の簡単な説明】
【０００８】
【図１】本考案の外反母趾予防ハイヒール踵固定ベルト・ル・ピェ・フィクスの実地例の側面図である。
【図２】本踵固定帯の装着時と装着前の斜め正面図である。
【符号の説明】
【０００９】  １ａ  踵固定ベルト本体
２ａ  踵固定ベルトの留め金
１ｂ  装着前の踵固定ベルト本体
２ｂ  装着前の踵固定ベルトの留め金
【図１】
0003119293.tif 000003
【図２】
0003119293.tif 000004
【手続補正書】
【提出日】平成17年9月4日(2005.9.4)
【手続補正１】
【補正対象書類名】実用新案登録請求の範囲
【補正の内容】
0003119293.tif 000005
【手続補正書】
【提出日】平成17年11月20日(2005.11.20)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ハイヒールを履いた足首から甲の部分に踵の位置とハイヒール本体をくるぶしの下部両側から足首を幅２ｃｍ以上の内側に皮膚を保護するために柔らかい素材を採用したベルトで常に固定することで、本来歩行時などつま先にかかる負担を踵で分散させ、外反母趾及び靴擦れを防ぐという構造を有する外反母趾予防ハイヒール踵固定ベルト。
【手続補正３】
【補正対象書類名】手続補正書
【補正対象項目名】手続補正３
【補正方法】変更
【補正の内容】
【手続補正３】
【補正対象書類名】明細書
【補正対象項目名】０００６
【補正方法】変更
【補正の内容】
【０００６】  ハイヒールの履き口のくるぶしが位置する部分に踵固定ベルトとそれを留める留め金を左右対称の位置に設置する。これによってベルトは取り外し自在となり使用時の足の挿入が可能となる。尚、足首の皮膚に直接体重がかかることを考慮し、ベルトの内側にはアルファゲルもしくは形状記憶ポリウレタンといった柔らかい素材を採用し、ベルトの当たる皮膚を守ることが重要である。
(57)【要約】【課題】    従来型のまな板を清潔に保ち、かつ匂いの強い食材や生の肉や魚などの調理のためには頻繁な洗浄及び除菌が必要であり、洗剤の多用及び水資源と時間の浪費を招いている。【解決手段】  安価な紙製のまな板を使い捨てにすることにより、上述の課題を解決する。さらにこれに折り目を付加することにより、生ごみを含めた使用後の処理を容易かつ清潔に実行できる。【選択図】    図１及び図２
0003119296.tif 000002
【実用新案登録請求の範囲】
【請求項１】
一回の調理に耐えうる程度の防水性、耐熱性を有する紙製の使い捨てまな板。
【請求項２】
単数ないし複数の折り目を有する請求項１に記載の紙製の使い捨てまな板。
【請求項３】
正方形の形状を有する請求項１及び２に記載の紙製の使い捨てまな板。
【請求項４】
短辺の長さが長辺の８５パーセント以上１００パーセント未満の長方形の形状を有する請求項１及び２に記載の紙製の使い捨てまな板。
【請求項５】
リサイクル素材を用いた請求項１乃至４のいずれかに記載の紙製の使い捨てまな板。
【請求項６】
底辺の左側の角と、底辺と接点のない２辺の中間点を結ぶ２本の線及びそれら中間点どうしを結ぶ線により構成される三角形の折り目を有する請求項１乃至５のいずれかに記載の紙製の使い捨てまな板。
【考案の詳細な説明】
【技術分野】
【０００１】  本考案は、におい、汚れその他の理由により調理中の処理に手間のかかる食材の調理、及び調理後の生ごみの処理、衛生の向上、さらに洗剤の多用、洗浄の手間を省くため一回の使用毎に使い捨てが可能な紙製のまな板に関する。【０００２】  通常のまな板は主に木製またはプラスティック製であり、長期にわたる使用を前提としている。  耐久性に優れるが、使用の結果表面に無数の傷ができ雑菌が繁殖しやすく、また防水性も損なわれる。  さらに多様な食材を一つのまな板で調理するため、食材からの雑菌、においなどが移ることを防止するために、調理中に何度も洗浄しなければならない。  また清潔に保つために洗剤を用いて数分から数十分かけて除菌する必要がある。【０００３】  衛生上の理由及び調理中の洗浄回数を減らすために「紙」をまな板の代わりに流用することは行われている。  この目的のために開発された紙は存在せず、その結果、人体に有害な印刷がなされた紙や本来はリサイクルにまわすべき高級紙などが用いられることが多い。
【考案の開示】
【考案が解決しようとする課題】
【０００４】  まな板を清潔に保つこと、及び食材相互のにおい、雑菌などの移転を防ぐためには洗剤、水の多用、除菌の手間など多くの資源、労力、時間を必要としている。【０００５】  本考案は、上記の課題を解決するために、安価な紙製のまな板を調理の度ごとに使い捨てとして使用するものである。【０００６】  さらに形状と折り目の工夫により、食材の簡単な梱包、調理後に生じる生ごみの処理を容易にし、多目的な使用を可能にするものである。
【考案の効果】
【０００７】  本考案は安価な紙をまな板として使用可能にすることで衛生上の課題、扱いにくい食材の調理、洗浄及び除菌に関する手間と資源の浪費を解決することに成功している。【０００８】  また折り目を有することにより、使用後の処理（生ごみ及び汚れた面に直接手を触れることがない）を容易にし衛生効果をさらに向上させている。【０００９】  さらに正方形乃至それに近い形状を有することにより、３本の折り目によって得られる最大の梱包容積を達成している。
【考案を実施するために最良の形態】
【００１０】  本考案は折り目を有する紙製の使い捨てまな板に関するものである。以下図を用いて説明する。
【００１１】  図２は請求項６に記載の紙製の使い捨てまな板である。  形状は請求項３及び４に順ずるものとする。  四辺形のまな板はＡＢ，ＢＣ，ＣＤ，及びＤＡの４辺より構成されている。ＡＢ及びＢＣの中間点はそれぞれＸ，Ｙで示されている。ＤＸ，ＤＹ，及びＸＹが折り目である。
【００１２】  Ｄを左下方にしてまな板として使用する。
【００１３】  食材乃至使用後に生じた生ごみの梱包には、まずＤＸを内側に折り曲げる。  次にＸＹを同様に内側に折り曲げる。  最後にＤＹを内側に折り曲げる。
【００１４】  本考案に用いる素材としては一定の防水性、強度及び耐熱性を備えたものであれば、再生紙などその後のリサイクルに用いられることがなく、燃えるごみとして処理できるものが資源、環境に関する考慮の上から好ましい。
【図面の簡単な説明】
【００１５】
【図１】  請求項３及び４に記載の紙製まな板の形状である。
【図２】  請求項６に記載の折り目を有する紙製のまな板である。
【図１】
0003119296.tif 000003
【図２】
0003119296.tif 000004
(57)【要約】【課題】    食事をする際に、数回ゆっくりと噛まない早い食事をしてしまう不都合の解消など。【解決手段】    食器自体１０が、タイマー機能装置Ａを設けて食事をする時間を計測する、タイマー機能装置付き食器１０によりこの課題を解決する。【選択図】  図１
0003119292.tif 000002
【実用新案登録請求の範囲】
【請求項１】
箸本体の柄の部分に、タイマー機能がある装置を備えた、タイマー機能装置付き食器。
【請求項２】
フォーク本体の柄の部分に、タイマー機能がある装置を備えた、タイマー機能装置付き食器。
【請求項３】
食器容器本体に、タイマー機能がある装置を備えた、タイマー機能装置付き食器。
【考案の詳細な説明】
【技術分野】
【０００１】本考案は、食事をする際に使用する、タイマー機能装置付き食器に関する。
【背景技術】
【０００２】従来の食器では、食事をする時間や、食べ物を口に運ぶ間隔を気にすることなく、食べ物を口に運んでいた。
【考案の開示】
【考案が解決しようとする課題】
【０００３】しかし、これでは口内に運ばれた食べ物を充分に噛み砕くことができず、食べ物を丸呑みしてしまうことが多く、健康に害を及ぼす可能性がある。食べ物を数回ゆっくりと噛むように意識していても、すぐに忘れるなどしてしまい、数回ゆっくりと噛むような食事を持続させることは、普段からの習慣があるので無理がある。
【課題を解するための手段】
【０００４】そこで、食器本体に、タイマー機能がある装置を備えた、タイマー機能装置付き食器を考案した。このタイマー機能装置付き食器により、数回ゆっくりと噛まない食事の仕方はなくなり、習慣性が高い早食いは解消されるのである。
【考案の効果】
【０００５】よって、タイマー機能装置付き食器により、数回ゆっくりと噛まない早い食事の仕方はなくなる。また、タイマー機能装置付き食器は、種類によっては本体から取り外すことができるので、汚れやすい箇所の洗浄が容易である。また、本体の先端部分が劣化しても、タイマー機能装置部分を取り外して新しい先端に交換することができる。また、タイマー機能装置部分に、アタッチメントを取り付けることにより、他の食器にも簡単に取り付けることができる。
【考案を実施するための最良の形態】
【０００６】本考案に係わる、タイマー機能装置付き食器１０は、図１の示すように、タイマー機能がある装置Ａを備えている。そしてこのタイマー機能装置Ａには、防水加工が施されている。このタイマー機能装置Ａを備えている部分１と、本体先端部分２とは、簡単に取り外すことができる。タイマーの時間設定は食種によって変更できるようにするのが望ましく、聴覚障害者や、視覚障害者にも対応できるようにアラーム機能や、色別ランプの点灯機能３を設けるようにする。素材は、防水性が高く劣化しにくいものがよい。時間設定等の表示４は、見やすいように液晶などを使う。アタッチメントは、多数の食器に対応できるように取り付け部分を大きめにする。
【図面の簡単な説明】
【０００７】
【図１】本考案に係わる、タイマー機能装置付き食器の平面図である。
【図２】従来の食器の平面図である。
【符号の説明】
【０００８】  １      タイマー機能装置を備えている部分
２      本体先端部分
３      色別ランプの点灯機能
４      時間設定等の表示
１０      タイマー機能装置付き食器
２０      食器
Ａ      タイマー機能がある装置
【図１】
0003119292.tif 000003
【図２】
0003119292.tif 000004
(57)【要約】      （修正有）【課題】掛け鈎間隔を調整可能とし、掛け鈎の機能を有効に作用させ、合わせてハリス切れを減少させる天秤チラシ掛け針仕掛けを提供する。【解決手段】１本のハリス▲１▼の両端に掛け鈎▲２▼、▲３▼を結び、使用時は、ハリスの中間部付近をハリス止め▲４▼に挟み込む。また、針の間隔は挟み込む位置を変えることで調整が可能な事を特徴とする。【選択図】図２
0003119298.tif 000002
【実用新案登録請求の範囲】
【請求項１】
ハリスの両端に２本の掛け鈎を取り付けた仕掛け
【考案の詳細な説明】
【考案の詳細な説明】
【技術分野】
【０００１】  この考案は、鮎の友釣りで使用する掛け鈎をハリスの両端に結ぶものである。
【背景技術】
【０００２】イ  従来の掛け針仕掛けは、ハリスの一端に間隔を置いて２本の掛け鈎を結ぶチラシと呼ばれる構造の掛け鈎仕掛けがある。掛け鈎の間隔は固定されている。
ロ  同一線上のハリスに掛け鈎が結ばれているチラシ仕掛けは、、１本目の鈎に掛かった魚が外れた場合、ハリスがはじかれる。そのため、同じハリスに配置した２本目の鈎も同様にはじかれるので２本目の鈎に掛かることは皆無に等しい。
ハ  １本のハリス構造のためハリス切れを発生した場合、掛かった魚を外れる事になる。
【考案が解決しようとする課題】
【０００３】    イ  ハリス切れによる外れが多かった。
ロ  鈎と鈎の間隔が固定されているので調整できない。
ハ  １本の鈎に掛かった魚が外れても２本目の鈎がはじかれないようにする。
本考案は、以上の欠点を解決するためになされたものである。
【課題を解決するための手段】
【０００４】  イ  ハリス▲１▼の両端に鈎▲２▼を迎え合わせに結んだ構造の仕掛けである。
本考案は、以上の構成からなる掛け鈎である。
【考案を実施するための最良の形態】
【０００５】以下、考案の実施の形態を説明する。
イ  ２本の掛け鈎▲２▼、▲３▼を１本のハリス▲１▼の両端に向い合せる。
本考案は、以上の構成になっている。
本考案を使用するときは、ハリス止め▲４▼に本考案のハリス▲１▼の中間部を折り曲げ挟み込む。針の間隔を調整する場合、ハリス▲１▼を一方にずらすことで容易に調整できる。
ロ  １本のハリスが切れた場合、２本のハリスが存在するため冗長系が大きく、等価的にハリス切れを減少させ外れが少なくなる。
ハ  前方の掛け鈎▲２▼がハリスごとはじかれても、後方の掛け鈎▲３▼およびハリスがはじかれないため、掛かる確率がおおきくなる。また  副次的に掛かった魚の身切れ（注）を起こした場合も、後方の掛け鈎で受け取るため、さらに掛かる確率が大きくなる。このように掛け鈎の間隔調整を可能にし、ハリスを２条にすることで、等価的にハリス切れを少なくする。同様な理由から２本の掛け鈎がはじかれることがなくなり掛かりがよくなる。また掛かった魚の身切れによる外れる回数が少なくなる。
注：見切れ  掛け鈎の刺さりが浅かったり、掛け鈎によって掛かった魚の身が切れてしまって外れること。
【図面の簡単な説明】
【０００６】
【図１】は本考案の姿図である。
【図２】は本考案の仕掛けを使用する時の姿図である。
【図３】は従来のチラシ鈎仕掛けと呼ばれる仕掛けの姿図である。
【図１】
0003119298.tif 000003
【図２】
0003119298.tif 000004
【図３】
0003119298.tif 000005
(57)【要約】      （修正有）【課題】クルミやイボイボの弾力性ゴムなどによる手のひらマッサージやツボに刺激を与える動作は、指先に意識を集中した運動ではないので指先への刺激は少なく、呆け防止などの効果は充分ではない。本考案は、主に、指先を運動させ、指先に刺激を与え、呆け防止、脳梗塞など脳卒中の後遺症による運動障害のリハビリに有効な指先回転グリップの提供。【解決手段】孔を施した回転体１に軸２を組合せたものを２組設け、それぞれの軸の両端部を軸受け３に装着し指先回転グリップ４を形成し、指先回転グリップを指先で手前方向あるいはその逆方向に回転させ、また指先回転グリップを手のひらに置き指先でそれぞれの回転体を手前方向あるいはその逆方向に回転させるというこれらの運動をすることによって、呆け防止、脳梗塞など脳卒中の後遺症による運動障害のリハビリなどに有効な指先回転グリップ。【選択図】図２
0003119291.tif 000002
【実用新案登録請求の範囲】
【請求項１】
本考案は、孔を施した回転体（１）に軸（２）を組合せたものを２組設け、それぞれの軸の両端部を軸受け（３）に装着し指先回転グリップ（４）を形成し、指先回転グリップ（４）を指先で手前方向あるいはその逆方向に回転させ、また指先回転グリップ（４）を手のひらに置き指先でそれぞれの回転体（１）を手前方向あるいはその逆方向に回転させるというこれらの運動をすることによって、呆け防止、脳梗塞など脳卒中の後遺症による運動障害のリハビリなどに役立てることを特徴とする指先回転グリップにある。
【請求項２】
本考案における回転体の表面に、凹凸を施したりマグネットを嵌め込んだり、球状若しくは略球状のものを数個と軸を組合せ回転体としたもの、及び回転体に軸を組合せたものを１組もしくは３組以上とこれらに対応した軸受けから構成されたものも本考案に含まれる。
【考案の詳細な説明】
【技術分野】
【０００１】  本考案は、呆け防止及び脳卒中の後遺症による運動障害のリハビリ等に有効な健康器具に関するものである。
【背景技術】
【０００２】  ２個のクルミを手のひらで回したり、イボイボの弾力性ゴムなどによる手のひらマッサージや、手のツボの刺激が広く知られている。
【考案の開示】
【考案が解決しようとする課題】
【０００３】  クルミやイボイボの弾力性ゴムなどによる手のひらマッサージやツボに刺激を与える動作は、指先に意識を集中した運動ではないので指先への刺激は少なく、呆け防止などの効果は充分ではない。【０００４】  本考案は、主に、指先を運動させ、指先に刺激を与え、呆け防止、脳梗塞など脳卒中の後遺症による運動障害のリハビリに有効な指先回転グリップを安価で提供することを目的とする。
【考案を解決するための手段】
【０００５】  上記の目的を達成するための本考案の要旨とするところは、孔を施した回転体（１）に軸（２）を組合せたものを２組設け、それぞれの軸の両端部を軸受け（３）に装着し指先回転グリップ（４）を形成し、指先回転グリップ（４）を指先で手前方向あるいはその逆方向に回転させ、また指先回転グリップ（４）を手のひらに置き指先でそれぞれの回転体（１）を手前方向あるいはその逆方向に回転させるというこれらの運動をすることによって、呆け防止、脳梗塞など脳卒中の後遺症による運動障害のリハビリに有効な指先回転グリップを提供する。
【考案の効果】
【０００６】  本考案は、次に記載する効果を奏する。
【０００７】  指先の運動であるため、呆け防止、脳梗塞など脳卒中の後遺症による運動障害のリハビリ、脳の発達に効果がある。
【０００８】  怪我による手・手首のリハビリ、器用な指先の形成、握力の強化などの効果を得、手のひら及びそれ以外の部位のローラーマッサージ器としての機能をも兼備し、手のひらに収まるコンパクトサイズで携帯し易いのでいつでも、どこでも運動できる。
【考案を実施するための最良の形態】
【０００９】  回転体（１）の素材は木製が好ましいが、軸（２）、軸受け（３）の素材は、木製またはプラスチック製が好ましく、手のひらの大きさや使う人の手の力に応じた回転体のサイズを用意することが好ましい。【００１０】  いつでも、どこでも簡単に出し入れして指先運動ができるように専用のケースを男性はズボンのベルトなどに、女性はハンドバッグのベルトなどに装着することが好ましい。
【図面の簡単な説明】
【００１１】
【図１】は本考案の使用状況を示す斜視図である。
【図２】（ア）は本考案の平面図である。（イ）は本考案の正面図である。（ウ）は本考案の側面図である。
【符号の説明】
【００１２】１      回転体
２      軸
３      軸受け
４      指先回転グリップ
【図１】
0003119291.tif 000003
【図２】
0003119291.tif 000004
【手続補正書】
【提出日】平成17年10月16日(2005.10.16)
【手続補正１】
【補正対象書類名】実用新案登録請求の範囲
【補正対象項目名】全文
【補正方法】変更
【補正の内容】
【実用新案登録請求の範囲】
【請求項１】
本考案は、筒状に加工した回転体（１）が２本と、軸（２）が２本と、２箇所に孔を施した軸受け（３）が２個から構成され、軸（２）を筒状の回転体（１）に通し、軸（２）の両端部を軸受け（３）の孔に装着して、指先回転グリップ（４）を形成し、指先回転グリップ（４）の回転体（１）を指先で手前方向あるいはその逆方向に回転させたり、手の平で指先回転グリップ（４）全体を手前あるいは逆方向に回転させたりする運動によって、指先に刺激を与え脳の発達、痴呆防止、脳梗塞など脳卒中の後遺症による運動障害のリハビリに役立てることを特徴とする指先回転グリップにある。
【請求項２】
イボイボの形状または磁気を帯びた回転体（１）と軸（２）と軸受け（３）から構成される請求項１記載の指先回転グリップ。
(57)【要約】      （修正有）【課題】椀（碗）の口縁部の一部に反り返し曲面を設け、食べ物片を匙に掬いやすくする。【解決手段】椀（碗）１の口縁部３の一部（半円部分）に反り返し曲面部２を設けることで、椀（碗）を置いたまま片手だけで食べ物を匙で掬うことが可能、且つ、そのままの形状で残した口縁部分より汁を飲むことも問題なくできるので、乳幼児に食事を与える際や幼児に一人で食事を摂らせる際に役立つ。【選択図】図２
0003119280.tif 000002
【実用新案登録請求の範囲】
【請求項１】
椀（碗）の口縁部の一部（半円部分）に反り返し曲面部を設けることにより、乳幼児に匙で食物を与える際食べ物片が椀（碗）の内面についたまま匙にうまく掬えないという問題を解消し、残りの口縁部（半分）をもとの形状のまま残すことで汁も問題なく飲むことができる主に乳幼児向けの反り返し曲面部付き椀（碗）
【考案の詳細な説明】
【技術分野】
【０００１】  本考案は、乳幼児に匙（さじ）を用いて食べ物を与えるための反り返し曲面部の付いた椀（碗）に関するものである。
【背景技術】
【０００２】  乳幼児に匙で食事を与える際、とりわけ食べ物が少量になると内面に張り付いて掬いにくい食べ物片を、一方の手で椀（碗）を傾けたりして掬っている。
【考案の開示】
【考案が解決しようとする課題】
【０００３】  乳幼児に食事を与える際、片方の手で子供が動くのを制御しながら椀（碗）をテーブルに置いたままもう一方の手で食べ物を与える場面が多いと思われるが、椀（碗）の内面についたまま掬いづらい食べ物片を匙で掬うには椀（碗）を傾けながら掬おうとするため両手を使わざるを得なくなる。また幼児だけで食事を摂らせる際、幼児は椀（碗）をテーブルに置いたまま匙で掬おうとするので食べ物片を椀（碗）の外へこぼしてしまうことが多い。
【課題を解決するための手段】
【０００４】  本考案は椀（碗）口縁部の一部に反り返し曲面部を設けることで、椀（碗）を置いたまま内面に張り付いたままうまく掬えない食べ物を外側にこぼさせることなく容易に匙に掬うことが可能となることにより問題点を解決している。
【考案の効果】
【０００５】  子供をあやしながら食事を与えることは結構困難なことであり、それが日常的な作業であるとなおさらである。この考案により従来の片手で椀（碗）を傾け、もう片方の手で匙を使い掬うという作業から、ほぼ最後まで椀を置いたまま片手だけで食べ物を与えることができるので、もう一方の手で子供が動いたりテーブルの上のものを触ったりするのを制御することができる。
【考案を実施するための最良の形態】
【０００６】  椀（碗）口縁部の一部（半部分）に反り返し曲面部を設ける。残りの口縁部は通常の円形状のままにしておくことで汁も問題なく飲むことができる。
【図面の簡単な説明】
【０００７】
【図１】  本考案の乳幼児向け反り返し曲面部付椀の正面図（見取り図）である。
【図２】  本反り返し曲面部付椀の一部切欠断面図である。
【符号の説明】
【０００８】１  椀（碗）本体
２  反り返し曲面部
３  口縁部
【図１】
0003119280.tif 000003
【図２】
0003119280.tif 000004
【手続補正書】
【提出日】平成17年10月31日(2005.10.31)
【手続補正１】
【補正対象書類名】実用新案登録請求の範囲
【補正対象項目名】全文
【補正方法】変更
【補正の内容】
【実用新案登録請求の範囲】
【請求項１】
椀（碗）の口縁部の一部に反り返し曲面部を設けることにより、乳幼児に匙で食物を与える際食べ物片が椀（碗）の内面についたまま匙にうまく掬えないという問題を解消し、残りの口縁部をもとの形状のまま残すことで汁も問題なく飲むことができる主に乳幼児向けの反り返し曲面部付き椀（碗）
(57)【要約】【課題】  単なる平面的な塗り絵遊びに止まらず、立体的な塗り絵遊びを可能とする塗り絵セットを実現する。【解決手段】絵柄の輪郭に沿った形状からなる彩色可能なシート状の絵柄片１０Ａ（１０Ｂ）と、上記絵柄片を着脱できる左右の見開きページ３、３からなる冊子体１からなり、折れ目１１Ａ（１１Ｂ）を設けた絵柄片の折れ目の左右箇所を冊子体の左右の見開きページのそれぞれに固定することにより、見開きページの開閉による折れ目を境とした絵柄片の拡縮により冊子体に対して絵柄片が立体的に起伏するようにする。【選択図】      図１
0003119275.tif 000002
【実用新案登録請求の範囲】
【請求項１】
絵柄の輪郭に沿った形状からなる彩色可能なシート状の絵柄片と、上記絵柄片を着脱できる左右の見開きページからなる冊子体からなり、折れ目を設けた絵柄片の折れ目の左右箇所を冊子体の左右の見開きページのそれぞれに固定することにより、見開きページの開閉による折れ目を境とした絵柄片の拡縮により冊子体に対して絵柄片が立体的に起伏することを特徴とする塗り絵セット。
【請求項２】
絵柄片はシート材に絵柄が印刷されると共に、輪郭に沿って切り出し可能な手段が設けられる請求項１記載の塗り絵セット。
【請求項３】
複数種の絵柄の絵柄片を用意すると共に、冊子体には複数の見開きページを設け、見開きページへの各絵柄片の着脱手段を共通化することにより、任意の絵柄片を任意の箇所の見開きページに着脱できるようにした請求項１又は２記載の塗り絵セット。
【考案の詳細な説明】
【技術分野】
【０００１】
この考案は塗り絵に関し、より詳細には単なる平面的な塗り絵遊びに止まらず、立体的な塗り絵遊びを可能とする塗り絵セットに関する。
【背景技術】
【０００２】
線状の絵柄に沿って筆記具により彩色する遊びが、塗り絵遊びとして古くから親しまれており、そのための用具として紙等のシート材に絵柄を印刷した塗り絵が公知である（例えば、特許文献１）。
【特許文献１】特許公開２００５−１４１１７３号公報
【考案の開示】
【考案が解決しようとする課題】
【０００３】
しかしながら、従来技術の塗り絵は平面的なシート材に単に彩色するだけなので、多様な情報媒体に囲まれた現代の子供には単調に過ぎる問題があった。又、そこで試されるのは専ら彩色の技術だけで、その他の創造性は試されないので知育玩具として活用するには限界があった。
【課題を解決するための手段】
【０００４】
この考案は上記の従来技術の問題点に鑑みて創作されたものであり、単調でなく、彩色の技術に止まらず創造性も要求される塗り絵遊びを実現できる塗り絵セットを実現することを目的とする。
【０００５】
即ち、この考案の塗り絵セットは絵柄の輪郭に沿った形状からなる彩色可能なシート状の絵柄片と、上記絵柄片を着脱できる左右の見開きページからなる冊子体からなり、折れ目を設けた絵柄片の折れ目の左右箇所を冊子体の左右の見開きページのそれぞれに固定することにより、見開きページの開閉による折れ目を境とした絵柄片の拡縮により冊子体に対して絵柄片が立体的に起伏することを特徴とする。
【０００６】
又、ここでは第２考案として、前記の塗り絵セットにおいて、複数種の絵柄の絵柄片を用意すると共に、冊子体には複数の見開きページを設け、見開きページへの各絵柄片の着脱手段を共通化することにより、任意の絵柄片を任意の箇所の見開きページに着脱できるようにした塗り絵セットも開示する。
【考案の効果】
【０００７】
よって、この考案の塗り絵セットによれば、彩色した色彩片を冊子体に固定することにより、図柄がポップアップする立体絵本を自らの彩色で完成させることが可能となり、単なる平面的な塗り絵遊びの域を越えた興味と喜びを遊戯者に与えることが可能となる。
【０００８】
又、第２考案によれば、遊戯者において任意の見開きページに任意の絵柄片を配することができるので、例えば、絵柄片を複数の人物のキャラクターや背景等として用意しておけば、遊戯者は自分で彩色した絵柄片を自由な順番で冊子体に配することにより、自ら創作したストーリーに沿った絵本を製作することが可能となり、創造性を養う格好の知育玩具となる。
【考案を実施するための最良の形態】
【０００９】
以下、この考案の塗り絵セットの具体的実施例を添付図面に基づいて説明する。図３及び図４は塗り絵セットの構成部材を示す図である。この塗り絵セットは絵柄片１０Ａ（１０Ｂ）と、それを着脱する冊子体１により構成される。この実施例においては、絵柄片１０Ａ（１０Ｂ）は厚紙等のシート材Ｓに印刷により絵柄Ｐを施すことにより構成されるものであり、絵柄片は輪郭に沿って切り出し可能な手段１３Ａ（１３Ｂ）を設けることにより、彩色後遊戯者によりシート材から切り出される。切り出し可能な手段１３Ａ（１３Ｂ）としては、ここでは手先で切り離しできるための断続する切れ目を例示するが、鋏で切り離すための単なるガイドラインでもよいことは勿論である。
【００１０】
又、冊子体１は折れ目２を境とした左右の見開きページ３、３を一又は複数備え、前記の絵柄片１０Ａ（１０Ｂ）が着脱できる構成とされる。上記の着脱の手段としては、ここでは絵柄片１０Ａ（１０Ｂ）の下端に突設した差し込み部１２Ａ（１２Ｂ）を冊子体１０の左右の見開きページ３、３に穿設した差し込みスリット４Ａ（４Ｂ）に挿入する構成を採用しているが、着脱手段はこれに限られず、例えば粘着剤による粘着によってもよいことは勿論である。
【００１１】
図１及び図２は塗り絵セットの構成部材同士の関係を示す図である。前記の絵柄片１０Ａ（１０Ｂ）は上下方向に連続する折れ目１１Ａ（１１Ｂ）が設けられることにより左右に屈曲すると共に、上記折れ目の左右箇所に配した一対の差し込み部１２Ａ、１２Ａ（１２Ｂ、１２Ｂ）との間に設けられた折れ目１３Ａ、１３Ａ（１３Ｂ、１３Ｂ）により上下に屈曲する。一方、冊子体１には上記の一対の差し込み部１２Ａ、１２Ａ（１２Ｂ、１２Ｂ）に対応した一対の差し込みスリット４Ａ、４Ａ（４Ｂ、４Ｂ）が，左右の見開きページ３、３に振り分けて配されており、これらにより絵柄片１０Ａ（１０Ｂ）の折れ目の左右箇所を冊子体の左右の見開きページのそれぞれに固定することにより、見開きページの開閉による折れ目を境とした絵柄片の拡縮により冊子体に対して絵柄片が立体的に起伏することとなる。
【００１２】
以上の実施例において、複数種の絵柄の絵柄片を用意すると共に、冊子体には複数の見開きページを設け、見開きページの差し込みスリットと各絵柄片の差し込み部の形状及び位置を共通化することにより、任意の絵柄片を任意の箇所の見開きページに着脱できるようにしてもよい。
【図面の簡単な説明】
【００１３】
【図１】この塗り絵セットの完成状態の斜視図。
【図２】同上、絵柄片と冊子体を分離した状態の斜視図。
【図３】同上、絵柄片の切り出し前の平面図。
【図４】同上、冊子体の平面図。
【符号の説明】
【００１４】
１                冊子体
１０Ａ（１０Ｂ）  絵柄片
１１Ａ（１１Ｂ）  折れ目
【図１】
0003119275.tif 000003
【図２】
0003119275.tif 000004
【図３】
0003119275.tif 000005
【図４】
0003119275.tif 000006
(57)【要約】      （修正有）【課題】ペットの不快なストレスを解消するために、効果的な指圧が行えるツボの位置を記したペット服で一枚仕立ての着脱が簡単なマッサージツボウェアを提供する。【解決手段】布製ツボウェア８をペットの背の上に被せるように着せて、前両足を穴１，２に通し、また後両足を穴５，６に通して、背中心のツボの説明図柄のプリント７の部分を軽く押していくことで指圧を行うことを可能とした。【選択図】図２
0003119277.tif 000002
【実用新案登録請求の範囲】
【請求項１】
ペットのストレスや肩凝り・便秘などの症状を緩和してあげるための一枚仕立ての平面的なペット服で、ツボの位置を記したツボ柄のプリントを施したペット用マッサージツボウェア。
【請求項２】
ペット用マッサージツボウェアは、天然繊維のオーガニックコットンを基本に布製素材、ニット製素材、紙製素材により体型にフィットする柔らかい素材を使用した製品。
【請求項３】
ペット用マッサージツボウェアは、実用新案登録請求項１記載の一枚仕立ての平面的なペット服として作られていることにより、本製品をペットの体に被せる状態で前足２本と後足２本を指定の穴空き部分に通して着せるため着脱が簡単で、犬の場合は小型犬、中型犬、大型犬の３種類を基本に胴の長さなどは調節ができる利便性の製品。
【請求項４】
マッサージツボウェアを着せてツボ柄がプリントされている部分をやさしく押してあげることで、誰でもが簡単にペットのストレス解消あるいは健康促進を行うことができる。
【請求項５】
マッサージツボウェアは、実用新案登録請求項１記載の一枚仕立てによる平面的なペット服のため小さく折りたたみ、邪魔にならずに持ち歩きが可能な製品。
【考案の詳細な説明】
【技術分野】
【０００１】ストレス性の多いペットの不快を取り除いてあげるためツボの位置をプリントしたペット用マッサージツボウェアであり、本考案のペット服を着せることで誰でもが簡単に指圧を行うことができる。
【背景技術】
【０００２】ペットに着せるオシャレなファッションウェア類のペット服は多種存在するが、本考案のマッサージツボウェアはペットの健康促進とストレスや肩凝り・便秘などの症状を緩和するための指圧が行える実用的なペット服である。
【考案の開示】
【考案が解決しようとする課題】
【０００３】ペットのストレスや肩凝り・便秘などの症状を緩和するため本請求項記載におけるこの考案のペット用マッサージツボウェアは、ペットの健康促進を行うことを課題にしている。
【課題を解決するための手段】ペットのツボの説明図柄のプリント７を示すことで、ツボの位置がわかりやすく効果的な指圧を行うことができる。
【考案の効果】ペットのストレスや不快の症状に対して、ペットの健康促進を行うための指圧を誰でもが簡単にできる。
【図面の簡単な説明】
【０００４】
【図１】ペット用マッサージツボウェア平面図
【図２】ペット用マッサージツボウェア立体平面図。
【図３】ペット用マッサージツボウェア立体側面図
【図４】ペット用マッサージツボウェア立体正面図
【符号の説明】
【０００５】（１）前右足を通す穴
（２）前左足を通す穴
（３）右側の胴の長さの調節ヒモ
（４）左側の胴の長さの調節ヒモ
（５）右後足を通す穴
（６）左後足を通す穴
（７）ツボの説明図柄のプリント
（８）布製ツボウェア
【図１】
0003119277.tif 000003
【図２】
0003119277.tif 000004
【図３】
0003119277.tif 000005
【図４】
0003119277.tif 000006
【手続補正書】
【提出日】平成17年9月6日(2005.9.6)
【手続補正１】
【補正対象書類名】実用新案登録請求の範囲
【補正対象項目名】全文
【補正方法】変更
【補正の内容】
【実用新案登録請求の範囲】
【請求項１】
ペットのストレスや肩凝り・便秘などの症状を緩和してあげるための一枚仕立ての平面的なペット服で、ツボの位置を記したツボ柄のプリントを施したことを特徴とするペット用マッサージツボウェア。
【請求項２】
天然繊維のオーガニックコットンを基本に布製素材、ニット製素材、紙製素材により体型にフィットする柔らかい素材を使用したことを特徴とする請求項１記載のペット用マッサージツボウェア。
【請求項３】
ペットの体に被せる状態で前足２本と後足２本を穴空き部分に通して着せるため着脱が簡単で、犬の場合は小型犬、中型犬、大型犬の３種類を基本に胴の長さなどは調節ができる利便性を特徴とする請求項１のペット用マッサージツボウェア。